(57)【要約】【課題】  顎を有しない針部でありながら餌が落ちない釣り針及び餌止め部材の釣り針取付方法を提供する。【解決手段】  釣り糸７２に連結される頭部７１ａと、餌を付けるための本体部７１ｂと、顎を有しない針部７１ｃと、を備える釣り針７１であり、本体部７１ｂに、餌８０が落ちないように餌止め部材７３を設ける。また、軟質材により形成した受け台９０の凹み部９１に、餌が落ちないようにするための餌止め部材７３を入れ、餌止め部材７３に、釣り針７１の顎を有しない針部７１ｃから刺し、本体部７１ｂを挿入して受け台９０に刺し込み、釣り針７１を受け台９０から引き抜き、本体部７１ｂに、餌８０が落ちないように餌止め部材７３を設ける。【選択図】図２
2008005776.tif 000002
【特許請求の範囲】
【請求項１】
釣り糸に連結される頭部と、
餌を付けるための本体部と、
顎を有しない針部と、を備える釣り針であり、
前記本体部に、前記餌が落ちないように餌止め部材を設けることを特徴とする釣り針。
【請求項２】
前記餌止め部材は、前記餌が前記本体部に支持されるような弾性力を有する材質で形成されていることを特徴とする請求項１に記載の釣り針。
【請求項３】
前記餌止め部材は、ゴムボールであり、
前記ゴムボールが、前記針部から刺されて前記本体部に挿入して設けられることを特徴とする請求項１または請求項２に記載の釣り針。
【請求項４】
前記餌止め部材は、着色されていることを特徴とする請求項１乃至請求項３のいずれか１項に記載の釣り針。
【請求項５】
軟質材により形成した受け台の凹み部に、餌が落ちないようにするための餌止め部材を入れ、
前記餌止め部材に、釣り針の顎を有しない針部から刺し、本体部を挿入して前記受け台に刺し込み、
前記釣り針を前記受け台から引き抜き、
前記本体部に、前記餌が落ちないように餌止め部材を設けることを特徴とする餌止め部材の釣り針取付方法。
【発明の詳細な説明】
【技術分野】
【０００１】
この発明は、海釣りや川釣りに用いられる釣り針及び餌止め部材の釣り針取付方法に関するものである。
【背景技術】
【０００２】
通常の釣り針は、本体部の一端の針部には、対象魚類の口中に針部が刺されて抜けないように顎が形成されている。このような釣り針は、本体部の頭部に釣り糸を結束した後、釣り糸を釣り竿に連結して使用する（特許文献１）。
【特許文献１】特開2002-209475号公報
【発明の開示】
【発明が解決しようとする課題】
【０００３】
ところで、釣った魚を放流する最近の魚釣りでは、特許文献１に記載のような釣り針を用いると、キャッチアンドリリースする時に、魚を傷めるために、魚を傷めないよう顎のない釣り針を使うのが常識となっている。
【０００４】
このような顎のない釣り針では、例えばミミズやブドウ虫を刺したとき、顎がないため餌だけ魚に取られ、釣り落とすので止むを得なく、顎を有する釣り針を使用しているのが現状である。
【０００５】
この発明は、かかる点に鑑みてなされたもので、顎を有しない針部でありながら餌が落ちない釣り針及び餌止め部材の釣り針取付方法を提供することを目的としている。
【課題を解決するための手段】
【０００６】
前記課題を解決し、かつ目的を達成するために、この発明は、以下のように構成されている。
【０００７】
請求項１に記載の発明は、
釣り糸に連結される頭部と、
餌を付けるための本体部と、
顎を有しない針部と、を備える釣り針であり、
前記本体部に、前記餌が落ちないように餌止め部材を設けることを特徴とする釣り針である。
【０００８】
請求項２に記載の発明は、
前記餌止め部材は、前記餌が前記本体部に支持されるような弾性力を有する材質で形成されていることを特徴とする請求項１に記載の釣り針である。
【０００９】
請求項３に記載の発明は、 
前記餌止め部材は、ゴムボールであり、
前記ゴムボールが、前記針部から刺されて前記本体部に挿入して設けられることを特徴とする請求項１または請求項２に記載の釣り針である。
【００１０】
請求項４に記載の発明は、
前記餌止め部材は、着色されていることを特徴とする請求項１乃至請求項３のいずれか１項に記載の釣り針である。      
【００１１】
請求項５に記載の発明は、 
軟質材により形成した受け台の凹み部に、餌が落ちないようにするための餌止め部材を入れ、
前記餌止め部材に、釣り針の顎を有しない針部から刺し、本体部を挿入して前記受け台に刺し込み、
前記釣り針を前記受け台から引き抜き、
前記本体部に、前記餌が落ちないように餌止め部材を設けることを特徴とする餌止め部材の釣り針取付方法である。
【発明の効果】
【００１２】
前記構成により、この発明は、以下のような効果を有する。
【００１３】
請求項１に記載の発明では、顎を有しない針部を備える針でありながら、本体部に、餌が落ちないように餌止め部材を設けたことで、餌だけ魚に取られることが軽減でき、しかも釣った魚を傷つけることなく針を外して放流することができる。
【００１４】
請求項２に記載の発明では、餌止め部材は、餌が本体部に支持されるような弾性力を有する材質で形成され、餌止め部材の弾性力による簡単な構成で餌を本体部に支持することができる。
【００１５】
請求項３に記載の発明では、 餌止め部材がゴムボールであり、簡単に針部から刺されて本体部に挿入して設けられる。
請求項４に記載の発明では、餌止め部材は、着色され、色は赤、ピンク、黄色、夜光緑等の
魚の好む色にすることが好ましい。
【００１６】
請求項５に記載の発明では、受け台の凹み部に餌止め部材を入れ、餌止め部材に、顎を有しない針部から刺し、本体部を挿入して受け台にまで刺し込み、釣り針を受け台から引き抜くことで、簡単に本体部に餌止め部材を設けることができる。
【発明を実施するための最良の形態】
【００１７】
以下、この発明の釣り針及び餌止め部材の釣り針取付方法の実施の形態について説明するが、この発明の実施の形態は、発明の最も好ましい形態を示すものであり、この発明はこれに限定されない。
【００１８】
まず、釣り針について、図１及び図２に基づいて説明する。図１は餌止め部材を設けない釣り針の正面図、図２は餌を付けた釣り針を示す図である。
【００１９】
この実施の形態の釣り針７１は、図１に示すように、頭部７１ａ、本体部７１ｂ及び針部７１ｃを備えている。頭部７１ａは、釣り糸７２に連結される。本体部７１ｂは、餌を付けるための部分である。針部７１ｃは、対象魚類の当たりにより魚類の口中に浸透する部分であり、この実施の形態の針部７１ｃは、顎を有していない。
【００２０】
この釣り針７１は、図２(ａ)，(ｂ)に示すように、本体部７１ｂに餌８０を付け、この餌８０が落ちないように本体部７１ｂに餌止め部材７３を設ける。餌止め部材７３は、餌８０が本体部７１ｂに支持されるような弾性力を有する材質で形成され、この実施の形態ではゴムボール７３ａである。釣り針７１には、針部７１ｃから餌８０を刺し、本体部７１ｂに挿入し、餌８０を付ける。
【００２１】
餌８０の種類によって、図２(ａ)に示すように、餌８０の上部を本体部７１ｂに付ける場合、また図２(ｂ)に示すように、餌８０の全体を本体部７１ｂに付ける場合がある。いずれの場合にも、釣り針７１の本体部７１ｂに餌８０を付け、その後にゴムボール７３ａに、針部７１ｃから刺し、本体部７１ｂに挿入して設ける。本体部７１ｂに挿入して設けるゴムボール７３ａの位置は、針部７１ｃの曲がりの始まる位置であることが、餌８０の多くの部分を保持でき、しかも針部７１ｃの長さを確保できて魚に刺さり、魚が逃げることを軽減できる。ゴムボール７３ａの直径は、釣り針７１の太さに比例して変えることが好ましく、例えば１．０〜２．０ｍｍが好ましいが特に限定されない。
【００２２】
このように、釣り針７１は、顎を有しない針部７１ｃを備えた針でありながら、本体部７１ｂに、餌８０が落ちないように餌止め部材７３を設けたことで、餌止め部材７３のゴムボール７３ａによって餌８０だけ魚に取られることが軽減でき、しかも釣った魚から釣り針７１を外して魚を傷付けることなく放流することができる。図２(ｃ)に示すように、針部７１ｃに餌８０が落ちないように餌止め部材７３を設けると、対象魚類の当たりにより魚類の口中に浸透する部分が少なくなり、魚が逃げることが多くなり好ましくない。
【００２３】
また、餌止め部材７３は、餌８０が本体部７１ｂに支持されるような弾性力を有する材質で形成され、例えばゴム、樹脂などで形成され、餌止め部材７３の弾性力による簡単な構成で餌８０を本体部７１ｂに支持することができる。また、餌止め部材７３がゴムボール７３ａであり、簡単に針部７１ｃから刺し、本体部７１ｂまで挿入して設けられる。また、餌止め部材７３は、着色され、色は赤、ピンク、黄色、夜光緑等の魚の好む色にすることが好ましい。釣り針７１の形状は、この実施の形態に示すように、英語のＪの字の形状が餌止め部材７３を容易に取り付けることができ好ましく、従来から鐙形と称して釣り針の原型されているが、これに限定されない。
【００２４】
次に、餌止め部材の釣り針取付方法について、図３乃至図７に基づいて説明する。図３はケースに入れた受け台の斜視図、図４はケースに入れた受け台の断面図、図５乃至図７は釣り針に餌止め部材を取り付ける状態を示す図である。
【００２５】
この実施の形態では、軟質材により受け台９０を形成し、この受け台９０をケース９5に入れて保持できるようになっている。ケース９５は、樹脂で形成され、小型で、かつ軽量であり、携帯に便利になっている。受け台９０には、複数個の凹み部９１が所定の間隔で形成され、この凹み部９１に餌８０が落ちないようにするための餌止め部材７３を入れるようになっている。
【００２６】
この実施の形態では、図３及び図４に示すように、受け台９０が軟質材であるスポンジで形成されているが、発泡スチロールなどで形成してもよい。また、餌止め部材７３としてゴムボール７３ａを用いており、凹み部９１は円筒部９１a、半円状底部９１bを有する。凹み部９１の円筒部９１aの直径D10は、ゴムボール７３ａの直径D1１よりやや小さく、凹み部９１の深さH10は、ゴムボール７３ａの直径D1１よりやや大きくなっており、ゴムボール７３ａをスポンジの弾性力で確実に保持するための形状に形成されている。このため、凹み部９１のスポンジの弾性力によりゴムボール７３ａが確実に保持され、しかもゴムボール７３ａが凹み部９１から飛び出ることなく入っており、ゴムボール７３ａが携帯時や使用時に凹み部９１から容易に落下することがない。
【００２７】
次に、餌止め部材７３の釣り針７１への取付は、図５に示すように、まず餌８０を釣り針７１の本体部７１ｂに付け、この釣り針７１の顎を有しない針部７１ｃから凹み部９１に入っているゴムボール７３ａに刺す。このとき、ゴムボール７３ａは凹み部９１に弾性支持されており、ゴムボール７３ａの動きが抑えられて容易に刺すことができる。そして、図６に示すように、餌８０を付けた本体部７１ｂまで挿入して針部７１ｃを受け台９０まで刺し込み、図７に示すように、釣り針７１を受け台９０から引き抜くと、本体部７１ｂに、餌８０が落ちないようにゴムボール７３ａを設けることができる。このように、受け台９０の凹み部９１にゴムボール７３ａを入れ、ゴムボール７３ａに、顎を有しない針部７１ｃから刺し、本体部７１ｂまで挿入して受け台９０に刺し込み、釣り針７１を受け台９０から引き抜く、簡単な作業で、容易に本体部７１ｂにゴムボール７３ａを設けることができる。
【００２８】
また、この発明は、練り餌にも使用でき、練り餌に使用する場合には、先に釣り針の本体部に餌止め部材を設け、その後に本体部に餌を付ける。例えば、練り餌に使用するへら鮒釣りに餌止め部材としてゴムボールを使用すると、ゴムボールによって練り餌を落ちないようにすることができる。このために、へら鮒釣りの釣り針を、太い針より刺さりのよい細い針を使用することができ、細い針にしても練り餌が割れて落ちることがなくなることから、大玉の練り餌を釣り針に装着でき、有利に集魚することが可能になる。
【産業上の利用可能性】
【００２９】
この発明は、海釣りや川釣りに用いられる釣り針及び餌止め部材の釣り針取付方法に適用でき、顎を有しない針部でありながら餌が落ちないことで、餌だけ魚に取られることが軽減でき、しかも釣った魚から釣り針を外して魚を傷付けることなく放流することができる。
【図面の簡単な説明】
【００３０】
【図１】餌止め部材を設けない釣り針の正面図である。
【図２】餌を付けた釣り針を示す図である。
【図３】ケースに入れた受け台の斜視図である。
【図４】ケースに入れた受け台の断面図である。
【図５】釣り針に餌止め部材を取り付ける前の状態を示す図である。
【図６】釣り針に餌止め部材を取り付ける途中の状態を示す図である。
【図７】釣り針に餌止め部材を取り付けた後の状態を示す図である。
【符号の説明】
【００３１】
７１  釣り針
７１ａ  頭部
７１ｂ  本体部
７１ｃ  針部
７２    釣り糸
７３  餌止め部材
８０  餌
９０  受け台
９１  凹み部
【図１】
2008005776.tif 000003
【図２】
2008005776.tif 000004
【図３】
2008005776.tif 000005
【図４】
2008005776.tif 000006
【図５】
2008005776.tif 000007
【図６】
2008005776.tif 000008
【図７】
2008005776.tif 000009